(57)【要約】  本発明は、水‐蒸気回路（２）を有する発電所設備（１）において、未処理水を予熱するための方法に関するものであり、発電所設備（１）は、蒸気発生器（３）と、蒸気タービン（４）と、蒸気発生器（３）を蒸気タービン（４）に接続する少なくともいくつかの蒸気導管（５）と、を含んでおり、未処理水は、脱イオン水の生成のために、水‐蒸気回路（２）からの廃水によって加熱され、廃水は、未処理水を加熱するために、未処理水に混合される。本発明はさらに、発電所設備（１）に関する。
2018508732.tif 000002
【特許請求の範囲】
【請求項１】
水‐蒸気回路（２）を有する発電所設備（１）において、未処理水を予熱するための方法であって、前記発電所設備（１）は、蒸気発生器（３）と、蒸気タービン（４）と、前記蒸気発生器（３）を前記蒸気タービン（４）に接続する少なくともいくつかの蒸気導管（５）と、を含んでおり、未処理水は、脱イオン水の生成のために、前記水‐蒸気回路（２）からの廃水によって加熱される方法において、
前記廃水が、前記未処理水を加熱するために、前記未処理水に混合されることを特徴とする方法。
【請求項２】
前記廃水が、前記蒸気発生器（２）からのブローダウン水である、請求項１に記載の方法。
【請求項３】
前記廃水が、前記蒸気導管（５）からの凝縮液である、請求項１に記載の方法。
【請求項４】
前記廃水が、前記未処理水内で分散する、請求項１から３のいずれか一項に記載の方法。
【請求項５】
未処理水温度が、ブローダウン水量を変更することによって、閉ループ制御される、請求項１から４のいずれか一項に記載の方法。
【請求項６】
水化学上の需要ゆえに必要とされるよりも多くの水が、予熱のための熱需要ゆえにブローダウンする、請求項５に記載の方法。
【請求項７】
水‐蒸気回路（２）を有する発電所設備（１）であって、蒸気発生器（３）と、蒸気タービン（４）と、少なくとも部分的に前記蒸気発生器（３）を前記蒸気タービン（４）に接続する蒸気導管（５）と、未処理水混合装置（６）と、前記水‐蒸気回路（２）からの廃水のためのタンク（７）と、を含んでいる発電所設備（１）において、
前記未処理水混合装置（６）と、前記水‐蒸気回路（２）からの廃水のための前記タンク（７）と、は互いに流体技術的に接続されており、前記未処理水混合装置（６）には、未処理水内で前記廃水を分散させるための装置（８）が設けられていることを特徴とする発電所設備（１）。
【請求項８】
前記水‐蒸気回路（２）からの廃水のための前記タンク（７）が、前記蒸気発生器（３）に接続されている、請求項７に記載の発電所設備（１）。
【請求項９】
前記水‐蒸気回路（２）からの廃水のための前記タンク（７）が、前記蒸気導管（５）に接続されている、請求項７に記載の発電所設備（１）。
【請求項１０】
未処理水温度の閉ループ制御のために、閉ループ制御装置（９）が設けられている、請求項７から９のいずれか一項に記載の発電所設備（１）。
【請求項１１】
前記未処理水温度に関する前記閉ループ制御装置（９）が、ブローダウン水量の開ループ制御（１０）を含んでいる、請求項１０に記載の発電所設備（１）。
【発明の詳細な説明】
【技術分野】
【０００１】
本発明は、特に発電所設備における、未処理水の予熱方法に関する。本発明はさらに、水‐蒸気回路を有する発電所設備に関する。
【背景技術】
【０００２】
凝縮液の回収を行わない、又は、部分的に回収を行う、抽気を有する発電所ではしばしば、抽気による回路損失を補償するために、大量の脱イオン水、すなわち脱塩水（完全脱塩水とも呼ばれる）が必要とされる。特に未処理水は、外部温度が低い場合、脱イオン水の生成に必要な温度を有していない。そこで、従来は未処理水の予熱を蒸気又は電気によって行っていたが、機械技術的又は電気技術的な消耗が大きく、結果として効率が低下するか、又は自己必要量が増大する。
【発明の概要】
【発明が解決しようとする課題】
【０００３】
本発明の課題は、上述の方法及び装置をさらに発展させ、消耗を著しく軽減させることにある。
【課題を解決するための手段】
【０００４】
本発明によると、本課題は、請求項１に記載の未処理水の予熱方法と、請求項７に記載の発電所設備と、によって解決される。本発明の有利なさらなる発展形態は、各従属請求項に規定されている。水‐蒸気回路を有し、蒸気発生器、蒸気タービン、及び蒸気発生器を蒸気タービンに接続する少なくともいくつかの蒸気導管を含む発電所設備での未処理水の予熱方法において、脱イオン水を生成するための未処理水が、水‐蒸気回路からの廃水によって加熱され、廃水が、未処理水の加熱のために、未処理水と混合されることによって廃水内の余熱が利用され、発電所設備の自己必要量が減少するか、又は効率が上昇することが実現する。
【０００５】
その際、廃水は、水‐蒸気回路を離れ、一般的には冷却水に排出されるか、又は対応する再冷の後に廃棄される水である。廃水のためのタンク及び付属のポンプと、冷却水のためのパイプラインと、はすでに存在している。ただ、接続金具を有する未処理水混合装置への分岐導管を補足するだけで良い。
【０００６】
廃水が、未処理水の加熱のために未処理水と混合される場合、低圧蒸気を通じた加熱の場合のような熱損失は生じない。また、廃水を適切に選択することによって、当該廃水を再び未処理水として用いることも可能である。
【０００７】
その際、廃水が、蒸気発生器から、特に蒸気ドラムからのブローダウン水であると合理的である。
【０００８】
代替的又は付加的に、廃水が蒸気導管からの凝縮液であり、当該蒸気導管は、最下点において自動的に排水されると有利であり得る。
【０００９】
廃水と未処理水との良好な混合に関しては、廃水が未処理水内で分散すると有利である。
【００１０】
さらに、未処理水温度が、ブローダウン水量の変更を通じて、閉ループ制御されると有利である。
【００１１】
特に、水化学上の需要ゆえに必要とされるよりも多くの水が、予熱のための熱需要ゆえにブローダウンすると、有利であり得る。しかしまた、この場合においてのみ、比較的わずかな効率の減少が生じる。なぜなら、この場合、蒸気発生器から、熱が付加的に引き出されるからである。電気的自己必要量は増大しない。いずれにせよ、未処理水温度の閉ループ制御は、ボイラーのブローダウンを変化させることによって行われ得る。それによって、脱イオン水生成のための最適な温度を調整することも可能である。
【００１２】
本発明に係る水‐蒸気回路を有し、蒸気発生器と、蒸気タービンと、少なくとも部分的に蒸気発生器と蒸気タービンとを接続する蒸気導管と、未処理水混合装置と、水‐蒸気回路からの廃水のためのタンクと、を含んでいる発電所設備では、未処理水混合装置と、水‐蒸気回路からの廃水のためのタンクとは、互いに流体技術的に接続されており、未処理水混合装置には、未処理水内に廃水を分散させるための装置が設けられている。未処理水内に廃水を分散させることは、混合を改善する。
【００１３】
その際、水‐蒸気回路からの廃水のためのタンクが、蒸気発生器と接続されていると合理的である。特に、蒸気発生器の蒸気ドラムには、定期的にブローダウン水が生じる。
【００１４】
さらに、水‐蒸気回路からの廃水のためのタンクが、蒸気導管に接続されていると合理的である。当該蒸気導管は、その最下点において自動的に排水され、発生する凝縮液は一般的に、汚染されていない。
【００１５】
本発明に係る発電所設備の別の有利な実施形態では、未処理水温度を閉ループ制御するための閉ループ制御装置が設けられている。それによって、脱イオン水生成のための最適な温度が調整される。
【００１６】
その際、未処理水温度の閉ループ制御が、ブローダウン水量の開ループ制御を含んでいると合理的である。
【００１７】
蒸気導管からの凝縮液とは異なり、ブローダウン水量は容易に調整可能である。
【００１８】
本発明を、例として図面を用いて詳細に説明する。示されている図は概略的なものであり、縮尺通りではない。
【図面の簡単な説明】
【００１９】
【図１】発電所設備の図である。
【図２】本発明に係る未処理水を予熱するための方法を示す図である。
【発明を実施するための形態】
【００２０】
図１は、本発明に係る発電所設備１を示している。図１に係る発電所設備１は、コンバインドサイクル設備として構成されており、ガスタービン設備１１と蒸気タービン設備１２とを含んでいる。ガスタービン設備１１は、連結した空気圧縮機１４を有するガスタービン１３と、ガスタービン１３の上流に配置され、圧縮機１４の圧縮空気導管１６に接続された燃焼室１５と、を含んでいる。ガスタービン１３と、空気圧縮機１４と、発電機１７と、は共通のシャフト１８上に配置されている。燃料の供給は、燃料導管４０を通じて行われる。
【００２１】
蒸気タービン設備１２は、連結された発電機１９を有する蒸気タービン４と、水‐蒸気回路２内で蒸気タービン４の下流に配置された凝縮器２０と、廃熱蒸気発生器３と、を含んでいる。蒸気タービン４は、図１では非常に簡略化して図示されており、大規模設備においては一般的に、図１には図示されていない複数の圧力段から構成されており、当該圧力段は、典型的には、共通のシャフト２１を通じて、発電機１９を駆動する。
【００２２】
廃熱蒸気発生器３も非常に簡略化して示されている。ガスタービン１３内で膨張した作動媒体を、廃熱蒸気発生器３に供給するために、排ガス導管２２は、廃熱蒸気発生器３の入口２３に接続されている。ガスタービン１３からの膨張した作動媒体は、廃熱蒸気発生器３を離れてその出口２４を経由し、詳細には図示されていない送気管の方向へと向かう。
【００２３】
給水タンク／脱気装置２５は、凝縮液ポンプユニット２７が接続された凝縮液導管２６を通じて、凝縮器２０から凝縮液を供給され得る。給水タンク／脱気装置２５の、水‐蒸気回路２内での配置は、図１では例示的に示されているに過ぎない。給水ポンプ２８は、給水タンク／脱気装置２５から流出する給水を、適切な圧力レベルになるように調整する。給水は、廃熱蒸気発生器３内の対応する圧力段に、蒸気ドラム３０に出口側で接続された給水予熱器２９を通じて供給される。蒸気ドラム３０は、廃熱蒸気発生器３内に配置された、水‐蒸気回路を形成するための蒸発器３１と接続されている。生蒸気を排出するために、蒸気ドラム３０は、廃熱蒸気発生器３内に配置された過熱器３２に接続されており、過熱器３２は、出口側において、蒸気導管５を通じて、蒸気タービン４の蒸気入口３３に接続されている。
【００２４】
蒸気タービン４に接して、蒸気供給系のための抽気３４が例示的に示されている。原則的に、抽気は、蒸気タービンの様々な場所に、しかしまた、廃熱蒸気発生器３の領域にも設けられ得る。例えば、凝縮液回収３５は、凝縮液導管２６に合流している。
【００２５】
発電所設備１は、さらに、未処理水混合装置６と、水‐蒸気回路２からの廃水のためのタンク７と、を含んでおり、本発明によると、これらは、互いに流体技術的に接続されている。未処理水混合装置６内には、廃水を未処理水内で分散させるための装置８が設けられている。
【００２６】
水‐蒸気回路２からの廃水のためのタンク７は、蒸気発生器３及び特に蒸気ドラム３０とも、蒸気導管５とも、接続されている。
【００２７】
未処理水温度を閉ループ制御するために、閉ループ制御装置９が設けられており、閉ループ制御装置９は、一方では、温度センサ３６を用いて、最新の未処理水温度を検出し、他方では、水導管４１においてタンク７と未処理水混合装置６との間に接続されたポンプ３７を用いて、適切な量の廃水を、タンク７から未処理水混合装置６に輸送する。未処理水混合装置６内における未処理水の予熱のための熱需要が、タンク７内に存在する量の水によって得られるものを上回る場合、水化学上の需要からは不要であっても、対応する開ループ制御１０を通じて、ブローダウン水量が増大する。
【００２８】
最後に、図１は、脱塩を含む水処理のための装置３８を示しており、当該装置は、未処理水混合装置６と、対応するポンプ３９を有する給水タンク／脱気装置２５と、の間に配置されている。ここでも、脱イオン水の水‐蒸気回路２への供給は、例示的に示されているに過ぎない。
【００２９】
図２は、発電所設備１内の未処理水の予熱方法を示しており、当該方法では、脱イオン水を生成するための未処理水は、水‐蒸気回路２からの廃水によって加熱される。第１のステップ４２において、未処理水の温度を引き上げなければならないかが確認される。そうでない場合、当該方法は４３で終了する。未処理水の温度を引き上げる必要がある場合は、第２のステップ４４において、存在している廃水の量がこの目的に関して十分であるかが確認される。十分であれば、第３のステップ４５において、水‐蒸気回路２からの廃水のためのタンク７から、廃水が、未処理水混合装置６内へ誘導される。量が十分ではない場合には、第３のステップ４５に加えて、第４のステップ４６が実施され、第４のステップ４６では、さらなるブローダウンが行われ、それによって、タンク７に流入する水が増大する。
【符号の説明】
【００３０】
１  発電所設備
２  水‐蒸気回路
３  蒸気発生器
４  蒸気タービン
５  蒸気導管
６  未処理水混合装置
７  タンク
８  廃水を未処理水内で分散させるための装置
９  閉ループ制御装置
１０  開ループ制御
１１  ガスタービン設備
１２  蒸気タービン設備
１３  ガスタービン
１４  空気圧縮機
１５  燃焼室
１６  圧縮空気導管
１７  発電機
１８  シャフト
１９  発電機
２０  凝縮器
２１  シャフト
２２  排ガス導管
２３  入口
２４  出口
２５  給水タンク／脱気装置
２６  凝縮液導管
２７  凝縮液ポンプユニット
２８  給水ポンプ
２９  給水予熱器
３０  蒸気ドラム
３１  蒸発器
３２  過熱器
３３  蒸気入口
３４  抽気
３５  凝縮液回収
３６  温度センサ
３７  ポンプ
３８  水処理のための装置
３９  ポンプ
４０  燃料導管
４１  水導管
４２  第１のステップ
４３  終了
４４  第２のステップ
４５  第３のステップ
４６  第４のステップ
【図１】
2018508732.tif 000003
【図２】
2018508732.tif 000004
【手続補正書】
【提出日】平成28年12月23日(2016.12.23)
【手続補正１】
【補正対象書類名】特許請求の範囲
【補正対象項目名】全文
【補正方法】変更
【補正の内容】
【特許請求の範囲】
【請求項１】
水‐蒸気回路（２）を有する発電所設備（１）において、未処理水を予熱するための方法であって、前記発電所設備（１）は、蒸気発生器（３）と、蒸気タービン（４）と、前記蒸気発生器（３）を前記蒸気タービン（４）に接続する少なくともいくつかの蒸気導管（５）と、を含んでおり、未処理水は、脱イオン水の生成のために、前記水‐蒸気回路（２）からの廃水によって加熱される方法において、
前記廃水が、前記未処理水を加熱するために、前記未処理水に混合されることを特徴とする方法。
【請求項２】
前記廃水が、前記蒸気発生器（２）からのブローダウン水である、請求項１に記載の方法。
【請求項３】
前記廃水が、前記蒸気導管（５）からの凝縮液である、請求項１に記載の方法。
【請求項４】
前記廃水が、前記未処理水内で分散する、請求項１から３のいずれか一項に記載の方法。
【請求項５】
未処理水温度が、ブローダウン水量を変更することによって、閉ループ制御される、請求項１から４のいずれか一項に記載の方法。
【請求項６】
水化学上の需要ゆえに必要とされるよりも多くの水が、予熱のための熱需要ゆえにブローダウンする、請求項５に記載の方法。
【請求項７】
水‐蒸気回路（２）を有する発電所設備（１）であって、前記発電所設備（１）は、蒸気発生器（３）と、蒸気タービン（４）と、少なくとも部分的に前記蒸気発生器（３）を前記蒸気タービン（４）に接続する蒸気導管（５）と、未処理水混合装置（６）と、前記水‐蒸気回路（２）からの廃水のためのタンク（７）と、を含んでおり、前記未処理水混合装置（６）と、前記水‐蒸気回路（２）からの廃水のための前記タンク（７）と、は互いに流体技術的に接続されており、前記未処理水混合装置（６）には、未処理水内で前記廃水を分散させるための装置（８）が設けられている発電所設備（１）において、
未処理水温度の閉ループ制御のために、閉ループ制御装置（９）が設けられており、前記未処理水温度に関する前記閉ループ制御装置（９）が、ブローダウン水量の開ループ制御（１０）を含んでいることを特徴とする発電所設備（１）。
【請求項８】
前記水‐蒸気回路（２）からの廃水のための前記タンク（７）が、前記蒸気発生器（３）に接続されている、請求項７に記載の発電所設備（１）。
【請求項９】
前記水‐蒸気回路（２）からの廃水のための前記タンク（７）が、前記蒸気導管（５）に接続されている、請求項７に記載の発電所設備（１）。
【国際調査報告】
2018508732.tif 000005
2018508732.tif 000006
2018508732.tif 000007
2018508732.tif 000008
2018508732.tif 000009
2018508732.tif 000010